(57)【特許請求の範囲】
【請求項１】
路側において道路と平行に設けられた溝における、前記溝の底面に設けられた排水枡の上方に網体が載置され、前記網体は、前記排水枡の上方位置から前記溝に沿って延びる延伸部を有し、前記延伸部の側部が前記溝に挿入され、前記排水枡へ流入する雨水の流路上において前記流路を交差する縁辺が前記溝の内面に密着し、前記溝と平行する縁辺が前記溝の縁に密着していることを特徴とする集水構造。
【発明の詳細な説明】
【技術分野】
【０００１】
本発明は、道路側部に設けられた、ロールドガッターなどの排水路において、雨水を集める排水枡近傍の集水構造に関するものである。
【背景技術】
【０００２】
道路側部における集水構造として、道路の走行部分から縁に向けて下り勾配を設け、さらに道路の長さ方向に沿って、所定位置から排水枡に向けて下り勾配を有する溝を設け、雨水を排水枡に集める構造が採用されている。
【０００３】
一方、排水枡には、通常、地中に埋設された排水管に異物が流入し閉塞することを防止するための網状の蓋体、いわゆるグレーチング蓋が設置される。しかしながら、グレーチング蓋に落ち葉などが堆積すると、排水枡への雨水の流入の妨げとなる。そこで、落ち葉等の堆積により排水枡への雨水の流入が妨げられることを防止するための様々な構造が提案されている。そして、そのような構造として、例えば、特開２００５−２６４７２２号公報に開示されたグレーチング蓋がある。
【０００４】
このグレーチング蓋では、流水表面の流水勾配よりも大きく傾斜した導水表面を有する複数のガイド部材が、横断方向に並べられた状態で上流側に設けられている。そして、ガイド部材上に流れてくる水の力で落ち葉等の屑片を下流側へ押し出すことにより、ガイド部材の下流側の集水通路を開放し、流水の排水性能を確保するものとなっている。
【０００５】
また、このグレーチング蓋では、横断方向（道路の幅方向）外側に水量の偏りが生じた場合における排水性能の確保が考慮されていなかったため、その対策を施したものとして、特開２００７−２０５１０１号公報に開示されたグレーチング蓋がある。このグレーチング蓋では、一部のガイド部材の長手方向長さが他のガイド部材の長手方向長さよりも長くされているので、グレーチング蓋の上に落ち葉等の屑片が堆積しても、流水の呑み込みスペースを長期間確保でき、かつ、横断方向における排水性能を確保することが可能となっている。
【先行技術文献】
【特許文献】
【０００６】
【特許文献２】特開２００５−２６４７２２号公報
【特許文献１】特開２００７−２０５１０１号公報
【発明の概要】
【発明が解決しようとする課題】
【０００７】
しかしながら、上記グレーチング蓋を含む従来のグレーチング蓋では、捕獲した落ち葉等の流入物はその表面に堆積する構造となっているため、排水機能を維持しながら捕獲できる流入物の量（以下、許容量とする）は表面積によりある程度決まってしまう。そのため、例えば、集中豪雨時に、想定された量を超える流入物が流れてきた場合、グレーチング蓋は短時間のうちに閉塞してしまうおそれがあった。ところが、許容量を増やすために排水枡の口径を大きくするためには、排水枡を交換するコストや時間を要するという問題があった。
【０００８】
そこで、本発明は、既設の排水枡を交換することなくそのまま使用しながら、コストや時間をかけることなく、流入物の許容量を大きくできる集水構造を提供することを目的とする。
【課題を解決するための手段】
【０００９】
本発明に係る集水構造では、路側において道路と平行に設けられた溝における、前記溝の底面に設けられた排水枡の上方に網体が載置され、前記網体は、前記排水枡の上方位置から前記溝に沿って延びる延伸部を有し、前記延伸部の側部が前記溝に挿入され、前記排水枡へ流入する雨水の流路上において前記流路を交差する縁辺が前記溝の内面に密着し、前記溝と平行する縁辺が前記溝の縁に密着している。
【発明の効果】
【００１１】
本発明に係る集水構造によれば、溝に沿って流れてくる流入物は網体の延伸部の溝に挿入された側部に捕獲されることになる。また、道路の幅方向に流れて、排水枡及び溝の排水枡近傍位置に流れ込む雨水とともに流れてくる流入物も、排水枡の上方に配置された部位で捕獲される。そして、この網体は、溝の底面に設けられた排水枡の上方に載置され、延伸部を有するものであるため、排水枡へ流入する雨水に接する面積が排水枡の開口面積よりも大きくなる。従って、流入物の許容量が大きくなる。しかも、排水枡の上方に載置するものであるため、既設の排水枡に適用することができ、排水枡を交換する必要がない。そのため、既設の排水枡を交換することなくそのまま使用し、コストや時間をかけることなく、流入物の許容量を大きくできる。
【００１２】
なお、網体は排水枡の上方に配置され網体の延伸部の側部が溝に挿入されるものであるため、雨水の量が増えて水位が高くなった場合にも、流入物が排水枡に直接流入することを防止できる。
【図面の簡単な説明】
【００１４】
【図１】本発明に係る集水構造の実施形態の外観を示す斜視図である。
【図２】本発明に係る集水構造の他の実施形態の外観を示す斜視図である。
【発明を実施するための形態】
【００１５】
図１を参照しながら、本発明に係る集水構造の実施形態について説明する。
この集水構造が採用された排水枡１は、路側において道路２０と平行に設けられた溝２の底面に設けられている。道路２０の路面３には、幅方向の中央位置から溝２への下がり勾配が設けられ、路面３の上に降った雨水が溝２に集められるものとなっている。また、溝２は、その底面を浅い曲面としたロールドガッターとなっている。そして、その底面は、排水枡１が設けられている位置で最も低くなっており、排水枡１に溝２に沿って二つの方向（道路２０の上り方向と下り方向）から雨水が流入するものとなっている。
【００１６】
排水枡１の開口はグレーチング蓋４で塞がれ、更にその周囲が網体１０で囲まれている。網体１０は、正方形の中央部１１と、矩形の延伸部１２、１３と、矩形の一長辺を曲線に置換えた形状をなす側部１４、１５とで構成されている。延伸部１２、１３は、その一短辺において前記中央部１１の対向する辺に対しそれぞれ取り付けられ、中央部１１から、それぞれが反対方向に延びている。また、側部１４、１５は、延伸部１２、１３のそれぞれの、中央部１１に取り付けられた短辺に対向する短辺に、曲線の輪郭部分が延伸部１２、１３の長軸方向に突出する向きで取り付けられている。更に、側部１４、１５は、延伸部１２、１３との境目で折り曲げられ、中央部１１及び延伸部１２、１３に対し傾いた状態とされている。そして、中央部１１が前記排水枡１の上方に配置され、延伸部１２、１３が溝２の上方に配置され、中央部１１及び延伸部１２、１３の縁辺が、溝２の開口部の縁に密着する状態で載置されている。一方、側部１４、１５は、溝２に挿入され、曲面の輪郭部分が溝２の内面に密着した状態とされている。
【００１７】
なお、両側部１４、１５の先端間の長さは約４０００ｍｍ、延伸部１２、１３の幅は約７００ｍｍとなっており、各部材はＳＰＨＣ（熱間圧延鋼板）で形成されている。ただし、その寸法や材質に制限はなく、使用状況に応じて好ましいものとすればよい。
【００１８】
また、網体１０は、溝２に対し固定しておくことが好ましい。その固定方法に制限はなく、適宜好ましい方法で固定すればよいが、例えば、溝２の適当な位置にアンカープレートを打ち込むとともに、網体１０にチェーンを取り付け、そのチェーンをアンカープレートに取り付けることで固定することができる。
【００１９】
この集水構造によれば、排水枡１へ流入する雨水とともに流れてくる落ち葉等の流入物は、流路となる溝２を交差して起立する網体１０の側部１４、１５により捕獲され、その水位が高い場合や流れの勢いが強い場合には、網体１０の延伸部１２、１３でも捕獲される。そして、この網体１０全体の排水枡１へ流入する雨水に接する面積は、排水枡１の開口面積よりも大きいため、流入物の許容量が大きくなる。しかも、排水枡１を囲うものであるため、既設の排水枡１に適用することができ、排水枡１を交換する必要もない。また、集中豪雨など、突発的に雨水の流れが多く強いものとなる場合において、流入物は、主に延伸部１２、１３で捕獲されることになるため、この延伸部１２、１３を長くすることで、許容量を適宜調整することができる。
【００２０】
網体１０の形状に制限はなく、使用する条件等に応じて、その他の形状とすることができる。図２に、網体１０の形状を変えた場合の集水構造の外観を示す。なお、図２において、図１に示す集水構造と実質的に同じ部分には同符号を付し、その説明を省略する。
【００２１】
図２に示す集水構造で使用されている網体１６は、グレーチング蓋４の平面積とほぼ同じ底面積を有する箱形をなし、グレーチング蓋４に載置されている。そして、その側面は、溝２の端面と排水枡１の壁面に密着している。そのため、排水枡１へ流入する雨水とともに流れてくる落ち葉等の流入物は、流路となる溝２の端面に密着しているを交差している側面により捕獲され、その水位が高い場合や流れの勢いが強い場合には、上面でも捕獲されることになる。この網体１６によれば、排水枡１へ流入する雨水に接する面積は、排水枡１の開口面積よりも、側面積分だけ大きくなる。また、図１に示す網体１０のように、許容量を調整することはできないが、網体１０よりも小型で簡単な形状となっているため、取り扱いが容易となりコストを低く抑えることができる利点がある。
【符号の説明】
【００２２】
１  排水枡
２  溝
３  路面
４  グレーチング蓋
１０、１６  網体
１１  中央部
１２、１３  延伸部
１４、１５  側部
２０  道路
【図１】
0005361631.tif 000002
【図２】
0005361631.tif 000003